(57)【要約】【課題】  通気性能が高い収納空間であって、その容積の減少を最小限に抑えることができる収納空間を提供することを課題とする。【解決手段】  住宅の基礎２０およびその下方に設けられた地盤強化体３０を利用して形成される収納空間１０であって、地盤強化体３０の表面に網状体１１が取り付けられており、この網状体１１は、地盤強化体３０の表面に当接する複数の第一線材および当該複数の第一線材と立体交差する複数の第二線材を備えて構成されている。【選択図】      図１
2005068876.tif 000002
【特許請求の範囲】
【請求項１】
建物に設けられる収納空間であって、
その内面に網状体が取り付けられており、
前記網状体は、前記内面に当接する複数の第一線材および当該複数の第一線材と立体交差する複数の第二線材を備えていることを特徴とする収納空間。
【請求項２】
住宅の基礎およびその下方に設けられた地盤強化体を利用して形成される収納空間であって、
前記地盤強化体の表面に網状体が取り付けられており、
当該網状体は、前記地盤強化体の表面に当接する複数の第一線材および当該複数の第一線材と立体交差する複数の第二線材を備えていることを特徴とする収納空間。
【請求項３】
前記網状体は、前記地盤強化体に埋設されたアンカーを利用して前記地盤強化体の表面に取り付けられていることを特徴とする請求項２に記載の収納空間。
【請求項４】
前記網状体と前記地盤強化体との間に、シート材が介設されていることを特徴とする請求項２又は請求項３に記載の収納空間。
【請求項５】
住宅の基礎に囲まれる一階の床下から地下にかけて形成される収納空間の施工方法であって、
地盤を掘削する工程と、
複数の第一線材および当該複数の第一線材と立体交差する複数の第二線材を備えて構成されている網状体を掘削法面側に取り付けた型枠を床付面上に立設する工程と、
前記型枠と前記掘削法面との間に地盤強化体を形成する工程と、
前記網状体を前記地盤強化体に残しつつ前記型枠を取り外す工程と、
を含むことを特徴とする収納空間の施工方法。
【発明の詳細な説明】
【技術分野】
【０００１】
本発明は、収納空間およびその施工方法に関する。
【背景技術】
【０００２】
住宅等の各種建物には、その室内や床下等に様々な形式の収納空間（押入れ、納戸等）が構築されている。
【０００３】
ところで、収納空間は、閉め切られていることが多く、また、その内部に多くの物品が密集して保管されることから、湿気が篭りやすく、腐食やカビの原因となっている。このため、従来より、収納空間の壁面等に「すのこ」を配置して通気性能を向上させる試みがなされている（例えば、特許文献１参照）。
【０００４】
【特許文献１】特開平９−１４４２９６号公報（全頁）
【発明の開示】
【発明が解決しようとする課題】
【０００５】
しかしながら、「すのこ」を利用した場合には、収納空間の実質的な容積が大幅に減少してしまうという問題がある。また、ウォークインタイプの納戸や地下室のように容積の大きい収納空間において隙間なく「すのこ」を設置するのは、作業が煩雑になるため現実的ではない。
【０００６】
また、本願出願人によって、床下から地下にかけて構築される収納空間が提案されているが（例えば、特願２００３−１５１９７、特願２００３−２７１４１０）、前記の問題点は、かかる収納空間にも共通してあてはまるといえる。
【０００７】
そこで、本発明は、通気性能が高い収納空間であって、その容積の減少を最小限に抑えることができる収納空間を提供することを課題とし、さらに、床下から地下にかけて構築される収納空間にあっては、その合理的な施工方法を提供することを課題とする。
【課題を解決するための手段】
【０００８】
前記課題を解決するために、請求項１に記載の発明は、建物に設けられる収納空間であって、その内面に網状体が取り付けられており、当該網状体は、前記内面に当接する複数の第一線材および当該複数の第一線材と立体交差する複数の第二線材を備えていることを特徴とする。
【０００９】
かかる収納空間によると、収納空間の内面と網状体の第二線材との間に通気層が形成されるので、その内部に湿気が篭ることがない。すなわち、隣り合う第一線材間に形成される隙間は、第一線材と立体交差する第二線材によって常に防護され、収納空間内に収納した物品によって遮断されることがないので、隣り合う第一線材間に空気の流路が常に確保されることになる。また、網状体は、従来の「すのこ」に比べてその厚みが小さいことから、収納空間の容積を必要以上に減少させることもない。
【００１０】
請求項２に記載の発明は、住宅の基礎およびその下方に設けられた地盤強化体を利用して形成される収納空間であって、前記地盤強化体の表面に網状体が取り付けられており、当該網状体は、前記地盤強化体の表面に当接する複数の第一線材および当該複数の第一線材と立体交差する複数の第二線材を備えていることを特徴とする。
【００１１】
かかる収納空間によると、収納空間の内面を形成する地盤強化体の表面と網状体の第二線材との間に通気層が形成されるので、その内部に湿気が篭ることがない。すなわち、隣り合う第一線材間に形成される隙間は、第一線材と立体交差する第二線材によって常に防護され、収納空間内に収納した物品によって遮断されることがないので、隣り合う第一線材間に空気の流路が常に確保されることになる。
【００１２】
ここで、地盤強化体は、基礎に作用する住宅の荷重を受けるのに十分な強度を有するものであればよいが、通常は、周囲の地盤よりも強度の高い材料（原地盤を改良したものを含む）で構築される。
【００１３】
請求項３に記載の発明は、請求項２に記載の収納空間であって、前記網状体は、前記地盤強化体に埋設されたアンカーを利用して前記地盤強化体の表面に取り付けられていることを特徴とする。
【００１４】
かかる収納空間によると、網状体が地盤強化体に強固に取り付けられることになる。
【００１５】
請求項４に記載の発明は、請求項２又は請求項３に記載の収納空間であって、前記網状体と前記地盤強化体との間に、シート材が介設されていることを特徴とする。
【００１６】
かかる収納空間によると、シート材により地盤強化体からの湿気や水分の浸入を確実に遮断することができる。
【００１７】
請求項５に記載の発明は、住宅の基礎に囲まれる一階の床下から地下にかけて形成される収納空間の施工方法であって、地盤を掘削する工程と、複数の第一線材および当該複数の第一線材と立体交差する複数の第二線材を備えて構成されている網状体を掘削法面側に取り付けた型枠を床付面上に立設する工程と、前記型枠と前記掘削法面との間に地盤強化体を形成する工程と、前記網状体を前記地盤強化体に残しつつ前記型枠を取り外す工程と、を含むことを特徴とする。
【００１８】
かかる収納空間の施工方法によると、高い通気性能を有する収納空間を容易にかつ合理的に床下から地下にかけて構築することができる。
【発明の効果】
【００１９】
本発明の収納空間によれば、その容積の減少を最小限に抑えつつ、高い通気性能を実現することができる。
【００２０】
また、本発明の収納空間の施工方法によれば、高い通気性能を有する収納空間を容易にかつ合理的に床下から地下にかけて構築することができる。
【発明を実施するための最良の形態】
【００２１】
以下、本発明の最良の実施形態を、添付した図面を参照しつつ詳細に説明する。
【００２２】
図１に示すように、本実施形態に係る収納空間１０は、住宅の一階の床下から地下にかけて形成されており、その内面に網状体１１が取り付けられている。より詳細には、収納空間１０は、住宅の基礎２０およびその下方に設けられた地盤強化体３０を利用して形成されたものであり、網状体１１は、基礎２０および地盤強化体３０の表面に貼着されている。なお、本実施形態では、網状体１１と地盤強化体３０との間に、シート材１３（図２参照）が介設されている。
【００２３】
網状体１１は、図２（ａ）（ｂ）に示すように、シート材１３を介して地盤強化体３０の表面（収納空間１０の内面）に当接する複数の第一線材１１ａおよびこの複数の第一線材１１ａと立体交差する複数の第二線材１１ｂとを備えて構成されている。第一線材１１ａと第二線材１１ｂとを立体交差させることで、隣り合う第一線材１１ａ，１１ａ間に空気の流路Ｐが形成されることになる。すなわち、複数の第二線材１１ｂのなす平面と地盤強化体３０（あるいは基礎２０）の表面との間に通気層Ｑ（図２（ｂ）参照）が形成されることになる。
【００２４】
第一線材１１ａおよび第二線材１１ｂの材質、断面寸法、網目の大きさ等は、収納空間１０の容積、環境条件（温度、湿度等）、収納される物品の種類等に応じて選定・設定することができる。例えば、直径が２〜３ｍｍの第一線材１１ａおよび第二線材１１ｂを網目が５ｍｍ平方程度になるように配置したものを網状体１１とすることができる。また、網状体１１が合成樹脂製である場合には、第一線材１１ａと第二線材１１ｂとの交差点においてこれらが溶着されていることが望ましい。なお、網状体１１としては、例えば、東京インキ株式会社製のネトロン（登録商標）ＳＱ−１７を使用することができる。
【００２５】
なお、本実施形態では、第一線材１１ａが縦方向に配置され、第二線材１１ｂが横方向に配置されているが、これに限定されることはなく、図示は省略するが、第一線材を横方向に配置し、第二線材を縦方向に配置してもよく、さらには、これらを斜めに配置してもよい。また、本実施形態では、網状体１１の網目が正方形を呈しているが、これに限定されることはなく、長方形やひし形を呈しているものであっても差し支えない。
【００２６】
網状体１１は、図３に示すように、地盤強化体３０に埋設されたアンカー１２を利用して地盤強化体３０の表面に貼着されている。
【００２７】
アンカー１２は、図４に示すように、地盤強化体３０の表面に露出するジョイント部１２ａと、このジョイント部１２ａに接続された定着部１２ｂとを備えている。また、ジョイント部１２ａの中央には、雌ネジが形成されている。そして、ジョイント部１２ａの雌ネジにボルト１２ｃを螺合してジョイント部１２ａとボルト１２ｃ（座金１２ｄ）とで網状体１１およびシート材１３を挟持することにより、網状体１１およびシート材１３が地盤強化体３０の表面に貼着されることになる。
【００２８】
なお、アンカーの構成は図示のものに限定されることはなく、例えば、紐状の部材（図示略）であってもよい。この場合には、紐状の部材の一端を網状体１１に結びつけるだけで、当該紐状の部材が網状体１１のアンカーとして機能することになる。
【００２９】
シート材１３は、施工中は網状体１１の網目に地盤強化体３０が入り込むのを防止し、施工後は地表面から浸透した雨水等が収納空間１０内に入り込むのを防止する。
【００３０】
基礎２０は、図１に示すように、断面逆Ｔ字形を呈する鉄筋コンクリート製の「布基礎」であり、地盤強化体３０の上面に立設されている。
【００３１】
地盤強化体３０は、基礎２０を支持し、基礎２０に作用する荷重を地盤Ｇに伝達する役割を果たすものであり、その周囲の地盤よりも大きな強度を有する材料で形成される。このような地盤強化体３０を利用して収納空間１０を構築すると、鉄筋コンクリート製の土留壁等が不要となるので、施工が容易になる。地盤強化体３０の材料としては、例えば、セメント系の固化材などで固化処理した改良土のほか、無筋コンクリート、ラップルコンクリート（粗石コンクリートともいう）などを利用することができる。ここで、「ラップルコンクリート」とは、通常のコンクリートに使用される骨材よりも径の大きい（径１５０ｍｍ程度）玉石や砕石を骨材として含むコンクリートである。なお、地盤強化体３０の寸法・形状や強度は、住宅の規模や地盤Ｇの良否等を考慮して決定すればよい。
【００３２】
なお、本実施形態では、基礎２０と地盤強化体３０との間（継手部）には、ゴム製の止水板３１が介設されている。この止水板３１により、基礎２０と地盤強化体３０との境界面を伝う水の流れが遮断され、地表面から浸透した雨水等の収納空間１０内への漏出が防止される。
【００３３】
また、図１に示すように、掘削面（床付面）上には、モルタルからなる底板４０が構築されている。さらに、底板４０の中央部分には、収納空間１０内に浸入した地下水や雨水等を排水するためのピット４２が形成されている。ピット４２の上部には、着脱可能な蓋４３が覆設されており、蓋４３の上面と底板４０の上面（床面４１）とが面一になっている。なお、図５に示すように、蓋４３を取り外して、ピット４２内に降りれば、楽な姿勢で収納作業を行うことができる。
【００３４】
また、収納空間１０は、図５に示すように、地盤強化体３０の下端辺から地盤Ｇのせん断抵抗角φで延びるせん断面Ｓの上方に位置している。ここで、地盤強化体３０の下端辺とは、基礎２０の収納空間１０側における下端辺の鉛直下方を意味する。このようにすると、地盤強化体３０に作用する荷重により地盤Ｇに発生する応力がせん断面Ｓの上側に及ぶことがないので、地盤強化体３０の安定性が損なわれることはなく、また、収納空間１０が崩れることもない。
【００３５】
ここで、せん断抵抗角について説明する。図６はせん断抵抗角の説明図であり、地盤のせん断面と土中に働く力との関係を示している。土中に働く垂直応力σとせん断強度τとの関係は、式（１）のように示すことができる。ｃは、任意の定数（地盤の粘着力等により定まる）である。
τ  ＝  ｃ  ＋  σ・ｔａｎφ      ・・・（１）
【００３６】
式（１）で示される直線と横軸（σ方向）とのなす角φがせん断抵抗角（安息角、内部摩擦角ともいう）である。地盤の面が、せん断面（本発明では、水平面からせん断抵抗角φで傾く仮想面のことを指す。）よりも大きい角度を有する場合には、その面は不安定となり、せん断破壊を生じるおそれがある。なお、せん断抵抗角φは、地盤Ｇから採取した試料で一軸又は三軸圧縮試験を行うことにより求めることができる。
【００３７】
次に、収納空間１０の施工方法を説明する。
【００３８】
まず、図７（ａ）に示すように、地盤Ｇを所定の深さまで掘削するとともに、掘削法面Ｇ１および床付面Ｇ２の不陸を整正する。
【００３９】
次に、図７（ｂ）に示すように、網状体１１およびシート材１３を取り付けた型枠５０を、網状体１１が取り付けられている面を外側（掘削法面Ｇ１側）に向けた状態で床付面Ｇ２上の所定位置に立設する。また、型枠５０の変位・変形を防止すべく端太材５１，５２を配置して型枠５０を補強する。なお、図９に示すように、フォームタイ５３をネジ棒５４を介してアンカー１２のジョイント部１２ａに螺合することで、端太材５１，５２が型枠５０と緊結され、同時に、網状体１１およびシート材１３が型枠５０と一体になる。
【００４０】
続いて、図８（ａ）に示すように、型枠５０と掘削法面Ｇ１との間に地盤強化体３０を形成する。地盤強化体３０の構築方法は、その材質等によって異なるが、例えば、地盤強化体３０がコンクリート製である場合には、適宜な配合のコンクリートを打設・養生すればよく、また、セメント系の固化材で固化処理した改良土である場合には、下層から順に堆積、転圧を繰り返せばよい。
【００４１】
地盤強化体３０が所定の強度に達したら、図８（ｂ）に示すように、地盤強化体３０の上面に基礎２０を構築する。このとき、地盤強化体３０の上部に止水板３１を埋設しておく。止水板３１により、基礎２０と地盤強化体３０との境界面からの雨水等の浸入が確実に遮断されることになる。
【００４２】
基礎２０が所定の強度に達したら、フォームタイ５３を取り外して端太材５１，５２を撤去したうえで、網状体１１を地盤強化体３０に残しつつ型枠５０のみを取り外し、ジョイント部１２ａにボルト１２ｃを螺合して網状体１１を地盤強化体３０の表面に固定する（図３参照）。
【００４３】
このように、網状体１１を予め型枠５０に取り付けておくと、型枠５０を脱型したときに、網状体１１が地盤強化体３０の表面に残置されることになるので、その取付作業が非常に容易である。なお、基礎２０の表面に網状体１１を取り付ける場合には、接着材やコンクリート用の釘等を使用する。
【００４４】
その後、床付面Ｇ２上にモルタルを打設して底板４０を形成する。なお、ピット４２が形成される床付面Ｇ２の中央部分は、適宜な段階で掘り下げておく。
【００４５】
そして、図５に示すように、基礎２０上に住宅本体を施工し、一階の床６０、出入口６１、蓋４３、梯子７０等、必要な設備を設置することにより、収納空間１０が使用可能な状態となる。なお、図示は省略するが、梯子７０に替えて常設の階段を設けてもよい。
【００４６】
以上、本実施形態に係る収納空間１０によると、その内面（基礎２０の表面および地盤強化体３０の表面）と網状体１１の第二線材１１ｂとの間に通気層Ｑ（図２（ｂ）参照）が形成されるので、その内部に湿気が篭ることがない。すなわち、隣り合う第一線材１１ａ，１１ａ間に形成される空気の流路Ｐは、第一線材１１ａと立体交差する第二線材１１ｂによって常に防護され、収納空間１０内に収納した物品によって遮断されることがないので、物品を密集した状態で収納しても、常に空気の流れが確保されることになる。
【００４７】
また、網状体１１の厚さが非常に小さいことから、当該網状体１１を収納空間１０内に取り付けても、収納空間１０の容積を必要以上に減少させることもない。
【００４８】
なお、本実施形態では、収納空間１０の内面のうち、基礎２０と地盤強化体３０とに網状体１１を取り付けたが、床面４１に網状体を取り付けてもよい。このようにすると、収納空間１０の通気性能がより一層向上することになる。
【００４９】
また、地盤強化体３０の表面に図示しない化粧板を取り付け、当該化粧板の表面に網状体を取り付ける構成であってもよい。この場合は、接着材や釘等を使用して化粧板の表面に網状体を貼着すればよい。
【００５０】
また、収納空間１０の寸法・形状は、図示のものに限定されることはなく、住宅の間取り等に合わせて適宜設定することができるが、例えば、天井高（床面４１から一階の床までの距離）を１４００ｍｍ以下にすれば、収納空間１０の床面積が住宅の床面積に算入されないという利点がある。
【００５１】
なお、本実施形態では、住宅の一階の床下から地下にかけて形成された収納空間１０を例示したが、本発明に係る収納空間は、このような位置に形成されるものに限定されることはなく、例えば、居室内に設けられる「押入れ」や「納戸」を形成する壁材や床材の表面に網状体を貼着してなる収納空間であってもよい。
【図面の簡単な説明】
【００５２】
【図１】本発明の実施形態に係る収納空間の断面斜視図である。
【図２】（ａ）は網状体の拡大斜視図、（ｂ）は（ａ）の水平断面図である。
【図３】網状体の取付状態を示す断面斜視図である。
【図４】同じく分解斜視図である。
【図５】本発明の実施形態に係る収納空間の断面図である。
【図６】せん断抵抗角を説明する図である。
【図７】収納空間の施工方法を説明するための断面図であって、（ａ）は地盤を掘削した状態を示す図、（ｂ）は型枠を立設した状態を示す図である。
【図８】同じく、（ａ）は地盤強化体を構築した状態を示す図、（ｂ）は基礎を構築した状態を示す図である。
【図９】型枠と網状体との取付状態を示す分解斜視図である。
【符号の説明】
【００５３】
１０    収納空間
１１    網状体
１１ａ  第一線材
１１ｂ  第二線材
１２    アンカー
１３    シート材
２０    基礎
３０    地盤強化体
５０    型枠
Ｇ      地盤
【図１】
2005068876.tif 000003
【図２】
2005068876.tif 000004
【図３】
2005068876.tif 000005
【図４】
2005068876.tif 000006
【図５】
2005068876.tif 000007
【図６】
2005068876.tif 000008
【図７】
2005068876.tif 000009
【図８】
2005068876.tif 000010
【図９】
2005068876.tif 000011